(57)【要約】  【課題】表示ユニットの伝送部やユニット間のケーブルの故障に対する信頼性を向上できる大型映像表示装置を提供する。  【解決手段】大型映像表示部３では、各表示ユニットグループ３１の複数の表示ユニット９へユニット間データ伝送により表示データが供給される。各表示ユニットグループ３１には、第１データ伝送経路３３と第２データ伝送経路３５が設定されており、これらは逆向きである。各表示ユニット９は、第１データ伝送経路３３に沿って上流側の表示ユニット９から表示データを取得して下流側の表示ユニット９へ表示データを送り、かつ、第２データ伝送経路３５に沿って上流側の表示ユニット９から表示データを取得して下流側の表示ユニット９へ表示データを送り、そして、第１データ伝送経路３３または第２データ伝送経路から取得された表示データを表示する。【選択図】  図１
2007298754.tif 000002
【特許請求の範囲】
【請求項１】
複数の表示ユニットを配列することによって構成された大型映像表示部を備え、前記複数の表示ユニットが１以上の表示ユニットグループを作っており、各表示ユニットグループの複数の表示ユニットへユニット間データ伝送により表示データを供給する大型映像表示装置において、
各表示ユニットグループには、該表示ユニットグループを構成する複数の表示ユニットを順次巡る第１データ伝送経路と、前記第１データ伝送経路と逆方向に前記複数の表示ユニットを巡る第２データ伝送経路とが設定されており、
各表示ユニットは、前記第１データ伝送経路に沿って上流側の表示ユニットから表示データを取得して下流側の表示ユニットへ表示データを送る第１伝送手段と、前記第２データ伝送経路に沿って上流側の表示ユニットから表示データを取得して下流側の表示ユニットへ表示データを送る第２伝送手段と、前記第１伝送手段または前記第２伝送手段によって取得された表示データを前記表示ユニットに表示させる表示制御手段とを備えたことを特徴とする大型映像表示装置。
【請求項２】
前記第１伝送手段は、前記第１データ伝送経路に沿って上流側の表示ユニットから取得した表示データに、前記第１伝送手段が設けられた表示ユニットの状態データを付加して、下流側の表示ユニットへ送り、
前記第２伝送手段は、前記第２データ伝送経路に沿って上流側の表示ユニットから取得した表示データに、前記第２伝送手段が設けられた表示ユニットの状態データを付加して、下流側の表示ユニットへ送ることを特徴とする請求項１に記載の大型映像表示装置。
【請求項３】
前記表示データは、前記表示ユニットグループの複数の表示ユニットでそれぞれ表示すべき複数のユニット表示データで構成され、
前記第１伝送手段および前記第２伝送手段は、表示データ中の該当表示ユニットの前記ユニット表示データを前記状態データと差し替えることによって前記表示データに前記状態データを付加することを特徴とする請求項２に記載の大型映像表示装置。
【請求項４】
前記各表示ユニットが、前記第１データ伝送経路および前記第２データ伝送経路より取得される複数の表示データの各々における異常の有無をチェックして正常な表示データを選択するデータ選択手段を備えたことを特徴とする請求項１ないし３のいずれかに記載の大型映像表示装置。
【請求項５】
前記表示ユニットグループにおける前記第１データ伝送経路の最上流側に位置する表示ユニットに前記表示データを供給する第１の信号分配器と、前記第１の信号分配器と別個に設けられ前記第２データ伝送経路の最上流側に位置する表示ユニットに前記表示データを供給する第２の信号分配器とを備えたことを特徴とする請求項１ないし４のいずれかに記載の大型映像表示装置。
【請求項６】
前記第１の信号分配器に前記表示データを供給する第１の制御装置と、前記第１の制御装置と別個に設けられ前記第２の信号分配器に前記表示データを供給する第２の制御装置とを備えたことを特徴とする請求項５に記載の大型映像表示装置。
【請求項７】
前記第１の信号分配器と前記第２の信号分配器は前記表示データを送受信可能であり、前記第１の信号分配器と前記第２の信号分配器は、同一の制御装置からの前記表示データを前記表示ユニットグループに提供するように前記表示データを送受信することを特徴とする請求項６に記載の大型映像表示装置。
【請求項８】
複数の表示ユニットを配列することによって構成された大型映像表示部を備え、所定のデータ伝送経路に沿ったユニット間データ伝送によって前記複数の表示ユニットへ表示データを供給する大型映像表示装置において、
各表示ユニットは、前記データ伝送経路に沿って上流側の表示ユニットから表示データを取得して下流側の表示ユニットへ表示データを送る伝送手段と、前記伝送手段によって取得された表示データを前記表示ユニットに表示させる表示制御手段とを備え、前記伝送手段は、前記表示ユニットの状態データを前記表示データに付加する状態データ付加手段を備えたことを特徴とする大型映像表示装置。
【請求項９】
前記表示データは、前記表示ユニットグループの複数の表示ユニットでそれぞれ表示すべき複数のユニット表示データで構成され、
前記状態データ付加手段は、表示データ中の該当表示ユニットの前記ユニット表示データを前記状態データと差し替えることによって前記表示データに前記状態データを付加することを特徴とする請求項８に記載の大型映像表示装置。
【請求項１０】
複数の表示ユニットを配列することによって構成された大型映像表示装置に適用され、前記複数の表示ユニットにより１以上の表示ユニットグループを作り、各表示ユニットグループにユニット間データ伝送により前記表示データを供給して前記大型映像表示装置に大型映像を表示する大型映像表示方法であって、
前記表示ユニットグループを構成する複数の表示ユニットを順次巡る第１データ伝送経路に沿って前記表示データを供給すると共に、前記第１データ伝送経路と逆方向に前記複数の表示ユニットを巡る第２データ伝送経路とに沿って前記表示データを供給することを特徴とする大型映像表示方法。
【発明の詳細な説明】
【技術分野】
【０００１】
本発明は、複数の表示ユニットを配列することによって構成された大型映像表示装置に関し、特に、表示ユニット等の故障に対する信頼性の向上に関する。
【背景技術】
【０００２】
従来、数メートルまたはそれ以上に及ぶ大型画面を備えた大型映像表示装置が利用されている。この種の大型映像表示装置は、例えば、競技場やイベント会場、ビルの壁面などに設置されている。
【０００３】
大型映像表示装置は、多数の表示ユニットをマトリックス状に配置することによって構成されている。１つ１つの表示ユニットは、例えば１辺が数十センチメートルの四角形の表示装置であり、各表示ユニットには多数の発光素子が配列されている。発光素子は典型的にはＬＥＤである。
【０００４】
大型映像表示装置では、多数の表示ユニットに表示データを供給する必要がある。データ供給形式には、バス方式とカスケード方式がある。バス方式では、各々の表示ユニットがアドレスデータを格納しており、アドレスデータにより特定される表示データをバスラインから取得する。この場合、１つの表示ユニットが故障したとしても、他の表示ユニットはバスラインからの表示データの取得を継続できる。したがって、複数の表示ユニットが同時に表示不能になるといった大きな不具合を避けることができる（例えば、特許文献１）。
【０００５】
従来一般には、上記のバス方式で表示データが供給されていた。しかし、最近は、大型映像表示装置の高階調化と多段接続を可能にするため、より高速で安価な伝送技術が求められている。こうした背景の下、大型映像表示装置においてもＬＶＤＳ（Low Voltage Differential Signaling）等が一般的に採用されており、この場合、表示ユニットはカスケード形式でケーブルにより順々に接続される。
【０００６】
カスケード方式の場合、表示ユニットから表示ユニットへと表示データが順次受け渡される。そのため、一つの表示ユニットが故障したときに後ろに接続された表示ユニットも表示不能になると、複数の表示ユニットが同時に表示不能になり、不具合が大きくなる。こうした事態を避けるため、従来の大型映像表示装置は、以下に説明するように、各表示ユニットを表示部と伝送部に分割した構成を備えている。
【０００７】
図１５および図１６は、カスケード形式の大型映像表示装置の構成例を示している。図１５において、大型映像表示部１０１は、マトリックス状に配列された多数の表示ユニット１０３で構成されている。これら多数の表示ユニット１０３は複数の表示ユニットグループ１０５に分けられており、各表示ユニットグループ１０５内の表示ユニット１０３が順次ケーブル１０４でカスケード状に接続されている。図１５ではケーブル１０４が六角形のマークで表されている。そして先頭の表示ユニット１０３は信号分配器１０７に接続されており、信号分配器１０７から表示ユニットグループ１０５へと表示データが供給される。
【０００８】
図１６は、１つの表示ユニット１０３の構成を示している。各表示ユニット１０３は、表示部１１１と、表示部１１１に対して着脱可能な伝送部１１３とで構成されている。伝送部１１３が、隣接する表示ユニット１０３の伝送部１１３とケーブル１０４で接続される。
【０００９】
表示部１１１は、発光部１１５、データ表示制御部１１７および表示装置電源１１９を備えている。発光部１１５は、多数の発光素子が配列されたパネルである。データ表示制御部１１７は、伝送部１１３から受け取った表示データに従って発光部１１５を制御する。
【００１０】
伝送部１１３は、データ取得部１２１、波形矯正回路１２３、アドレス変換回路１２５および電圧降下回路１２７を備える。データ取得部１２１は、前段の表示ユニット１０３から表示データとアドレスデータを取得する。表示データは、複数の表示ユニットのための表示データの集まりである。ここでは、表示ユニット別の表示データをユニット表示データという。アドレスデータは、表示データ中でのユニット表示データのアドレス（位置）を示すデータである。アドレスデータが予め表示ユニット１０３に格納されていてもよい。データ取得部１２１は、アドレスデータに基づいてユニット表示データを取得して表示部１１１に渡す。波形矯正回路１２３は、上述したＬＶＤＳのために設けられており、波形やクロックの乱れを矯正する。アドレス変換回路１２５は、次の表示ユニット１０３のためにアドレスデータを変換する。この変換により、アドレスデータが、次の表示ユニット１０３が取得すべきユニット表示データの位置を特定する信号になる。電圧降下回路１２７は、ＬＶＤＳ対応の伝送回路に適した値になるように電圧を変換する。
【００１１】
上記構成により、表示データは、１つの表示ユニット１０３の伝送部１１３から次の表示ユニット１０３の伝送部１１３へと順次伝えられていく。各表示ユニット１０３では、伝送部１１３が表示データを取得して表示部１１１に渡し、表示部１１１が表示データに従って発光部１１５を発光させる。
【００１２】
また、表示部１１１のデータ表示制御部１１７は、表示ユニット１０３の状態データをデータ取得部１２１に返す。状態データはユニット内の異常検知結果のデータである。状態データは、表示データと逆の経路で送られて、信号分配器１０７に返され、状態監視機器に提供される。
【００１３】
このような大型映像表示装置において、一つの表示ユニット１０３の表示部１１１が故障したとする。この場合に、伝送部１１３は通常通りに表示データを伝送できる。したがって、後段に接続された残りの表示ユニット１０３は、表示を継続できる。また、故障した表示ユニット１０３を修理するときは、表示部１１１が伝送部１１３から分離され、交換される。このとき、他の表示ユニット１０３の電源をＯＦＦにすることなく交換作業を行う活性交換が可能である。こうして、従来の大型映像表示装置は、表示部１１１と伝送部１１３を着脱可能に構成することによって、表示ユニット１０３の故障の影響を小さく抑えている。
【特許文献１】特開２００２−２４４６３３号公報（第４〜７ページ、図２等）
【発明の開示】
【発明が解決しようとする課題】
【００１４】
しかしながら、従来の大型映像表示装置においては、表示ユニットの表示部の故障には好適に対処できても、伝送部やケーブルの故障に対する信頼性が低いという問題がある。例えば、伝送部では、ＬＶＤＳのための波形矯正回路等の回路故障が生じ得るし、ケーブルでは切断が生じ得る。このような故障が生じると、故障箇所の下流側に接続された複数の表示ユニットが同時に表示不能になってしまう。大型映像表示装置のさらなる信頼性向上のために、伝送部やケーブルの故障に対する信頼性の向上が望まれる。
【００１５】
本発明は、従来の問題を解決するためになされたもので、その目的は、表示ユニットの伝送部やユニット間のケーブルの故障に対する信頼性を向上できる大型映像表示装置を提供することにある。
【課題を解決するための手段】
【００１６】
本発明の大型映像表示装置は、複数の表示ユニットを配列することによって構成された大型映像表示部を備え、前記複数の表示ユニットが１以上の表示ユニットグループを作っており、各表示ユニットグループの複数の表示ユニットへユニット間データ伝送により表示データを供給する。この大型映像表示装置において、各表示ユニットグループには、該表示ユニットグループを構成する複数の表示ユニットを順次巡る第１データ伝送経路と、前記第１データ伝送経路と逆方向に前記複数の表示ユニットを巡る第２データ伝送経路とが設定されており、各表示ユニットは、前記第１データ伝送経路に沿って上流側の表示ユニットから表示データを取得して下流側の表示ユニットへ表示データを送る第１伝送手段と、前記第２データ伝送経路に沿って上流側の表示ユニットから表示データを取得して下流側の表示ユニットへ表示データを送る第２伝送手段と、前記第１伝送手段または前記第２伝送手段によって取得された表示データを前記表示ユニットに表示させる表示制御手段とを備えている。
【００１７】
この構成により、表示データが、互いに逆方向の第１データ伝送経路と第２データ伝送経路に沿って伝送される。このような逆方向の２重化により、表示ユニットの伝送部やユニット間のケーブルの故障に対する信頼性を向上できる。
【００１８】
また、本発明の大型映像表示装置において、前記第１伝送手段は、前記第１データ伝送経路に沿って上流側の表示ユニットから取得した表示データに、前記第１伝送手段が設けられた表示ユニットの状態データを付加して、下流側の表示ユニットへ送り、前記第２伝送手段は、前記第２データ伝送経路に沿って上流側の表示ユニットから取得した表示データに、前記第２伝送手段が設けられた表示ユニットの状態データを付加して、下流側の表示ユニットへ送る。この構成により、状態データを返信するための伝送路が、表示データを送るための伝送路と共用され、伝送路を減らすことができる。
【００１９】
また、本発明の大型映像表示装置において、前記表示データは、前記表示ユニットグループの複数の表示ユニットでそれぞれ表示すべき複数のユニット表示データで構成され、前記第１伝送手段および前記第２伝送手段は、表示データ中の該当表示ユニットの前記ユニット表示データを前記状態データと差し替えることによって前記表示データに前記状態データを付加する。この構成により、伝送される情報量の増大を招くことなく、表示データと状態データのための伝送路の共用が可能になる。
【００２０】
また、本発明の大型映像表示装置では、前記各表示ユニットが、前記第１データ伝送経路および前記第２データ伝送経路より取得される複数の表示データの各々における異常の有無をチェックして正常な表示データを選択するデータ選択手段を備えている。この構成により、各表示ユニットは、第１データ伝送経路または第２データ伝送経路から取得される正常な表示データに従って表示を行う。したがって、一の表示ユニットにて両系統（第１データ伝送経路および第２データ伝送経路）の伝送が不能になっても、グループ内の残りの全部の表示ユニットの映像が乱れることなく好適に表示が継続する。また、一のケーブルにて両系統の伝送が不能になっても、全部の表示ユニットの映像が乱れることなく好適に表示を継続する。また、故障部位の活性交換も可能である。こうして、伝送部やケーブルの故障の影響を小さく抑えることができる。
【００２１】
また、本発明の大型映像表示装置は、前記表示ユニットグループにおける前記第１データ伝送経路の最上流側に位置するの表示ユニットに前記表示データを供給する第１の信号分配器と、前記第１の信号分配器と別個に設けられ前記第２データ伝送経路の最上流側に位置する表示ユニットに前記表示データを供給する第２の信号分配器とを備えている。この構成により、信号分配器も２重化されて、信頼性を向上できる。従来は、信号分配器が２重化されるときは、２つの信号分配器を切り替える切替装置が必要であった。本発明では２つの信号分配器から２つの系統にそれぞれデータが伝送されるので、従来のような切替装置が不要になる。こうして、簡素な構成で、信号分配器も含めた２重系システムを提供でき、信頼性を向上できる。
【００２２】
また、本発明の大型映像表示装置は、前記第１の信号分配器に前記表示データを供給する第１の制御装置と、前記第１の制御装置と別個に設けられ前記第２の信号分配器に前記表示データを供給する第２の制御装置とを備えている。この構成により、制御装置も２重化されて、信頼性を向上できる。
【００２３】
また、本発明の大型映像表示装置において、前記第１の信号分配器と前記第２の信号分配器は前記表示データを送受信可能であり、前記第１の信号分配器と前記第２の信号分配器は、同一の制御装置からの前記表示データを前記表示ユニットグループに提供するように前記表示データを送受信する。この構成により、表示ユニットによって異なる制御装置からの表示データを表示することによる画質の低下を防ぐことができる。
【００２４】
また、本発明の別の態様において、大型映像表示装置は、複数の表示ユニットを配列することによって構成された大型映像表示部を備え、所定のデータ伝送経路に沿ったユニット間データ伝送によって前記複数の表示ユニットへ表示データを供給する。この大型映像表示装置において、各表示ユニットは、前記データ伝送経路に沿って上流側の表示ユニットから表示データを取得して下流側の表示ユニットへ表示データを送る伝送手段と、前記伝送手段によって取得された表示データを前記表示ユニットに表示させる表示制御手段とを備え、前記伝送手段は、前記表示ユニットの状態データを前記表示データに付加する状態データ付加手段を備えている。この構成により、状態データを返信するための伝送路が、表示データを送るための伝送路と共用され、伝送路を減らすことができる。
【００２５】
また、本発明の大型映像表示装置において、前記表示データは、前記表示ユニットグループの複数の表示ユニットでそれぞれ表示すべき複数のユニット表示データで構成され、前記状態データ付加手段は、表示データ中の該当表示ユニットの前記ユニット表示データを前記状態データと差し替えることによって前記表示データに前記状態データを付加する。この構成により、伝送される情報量の増大を招くことなく、表示データと状態データのための伝送路の共用が可能になる。
【００２６】
また、本発明の大型映像表示方法は、複数の表示ユニットを配列することによって構成された大型映像表示装置に適用され、前記複数の表示ユニットにより１以上の表示ユニットグループを作り、各表示ユニットグループにユニット間データ伝送により前記表示データを供給して前記大型映像表示装置に大型映像を表示する。この大型映像表示方法は、前記表示ユニットグループを構成する複数の表示ユニットを順次巡る第１データ伝送経路に沿って前記表示データを供給すると共に、前記第１データ伝送経路と逆方向に前記複数の表示ユニットを巡る第２データ伝送経路とに沿って前記表示データを供給する。この態様によっても上述した本発明の利点が得られる。
【発明の効果】
【００２７】
本発明は、互いに逆方向の第１データ伝送経路と第２データ伝送経路を有する２重化構成を設けたことにより、表示ユニットの伝送部やユニット間のケーブルの故障に対する信頼性を向上できるという効果を有する大型映像表示装置を提供できる。
【発明を実施するための最良の形態】
【００２８】
以下、本発明の実施の形態に係る大型映像表示装置について、図面を用いて説明する。
【００２９】
本発明の第１の実施の形態に係る大型映像表示装置を図１〜図３に示す。図３は大型映像表示装置の全体構成を示しており、図１は、大型映像表示装置に備えられる大型画面の一部を示しており、図２は、大型画面中の１つの表示ユニットを示している。まず、図３を参照して全体構成を説明する。
【００３０】
図３において、大型映像表示装置１は、大型映像表示部（大型画面）３、信号分配器５および制御装置７で構成されている。大型映像表示部３は、マトリクス状に縦方向および横方向に配列された多数の表示ユニット９で構成されている。制御装置７は、入力された映像信号を処理して大型映像表示部３のための表示データに変換し、信号分配器５に出力する。信号分配器５は、制御装置７から入力された表示データを大型映像表示部３の表示ユニット９に分配する。図には１つの信号分配器５が示されているが、実際には複数の信号分配器５が備えられてよい。
【００３１】
制御装置７は、映像信号をデジタル信号に変換するアナログ／デジタル（以下、Ａ／Ｄという）変換部１１と、デジタル信号に変換された映像信号の映像調整を行う映像調整部１３と、テスト信号を発生させるテスト信号発生部１５と、制御情報の生成および表示制御を行う制御情報制御部１７と、表示データに制御信号を付加して多重化を行うとともに、制御信号を多重化した表示データを出力する信号多重／データ伝送部１９と、電源異常、冷却ファン異常などの状態データを監視する監視部２１と、各部とバスで接続されて各部の制御を行う中央演算処理装置（以下、ＣＰＵという）２３とを備えている。
【００３２】
Ａ／Ｄ変換部１１には映像信号が入力される。入力された映像信号はデジタル信号に変換されて映像調整部１３に出力される。映像調整部１３は、入力された映像信号に対して映像調整処理を行う。この映像調整は、大型映像表示部３に映像を表示するためのドットサイズの変更および映像信号の輪郭ボケの補正などである。テスト信号発生部１５は、テストパターンを発生させ、テスト信号を信号多重／データ伝送部１９に出力する。制御情報制御部１７は、ＣＰＵ２３の制御に基づいて大型映像表示部３に表示するディスプレイ表示を制御する。制御情報制御部１７は、制御のための情報を信号多重／データ伝送部１９に出力する。
【００３３】
信号多重／データ伝送部１９は、大型映像表示部３に表示するデジタル映像を生成する。信号多重／データ伝送部１９は、生成されたデジタル映像信号の走査変換を行い、変換後のデータを信号分配器５に出力する。監視部２１には、大型映像表示部３から画面の状態データが信号分配器５を介して入力される。監視部２１は、電源異常、表示ユニット９に付属する冷却ファンの異常などを監視する。
【００３４】
信号分配器５は、信号多重／データ伝送部１９から出力された表示データを大型映像表示部３の表示ユニットグループ毎のデータに変換して、大型映像表示部３に出力する。
【００３５】
次に、図１を参照すると、大型映像表示部３の多数の表示ユニット９は、複数の表示ユニットグループ３１へと分けられている。図の例では、一つの表示ユニットグループ３１が、隣接する２列の表示ユニットで構成される。ここでは、グループ内の表示ユニットを区別するために、９ａ〜９ｊの符号が各表示ユニットに付されている。これらの表示ユニット９ａ〜９ｊは、ケーブル１０でカスケード式に接続されており、両端の表示ユニット９ａ、９ｊは信号分配器５の異なる２つのポートに接続されている。図示のようにケーブル１０は６角形のマークで示されている。表示データは、信号分配器５から表示ユニット９ａ〜９ｊへと、ケーブル１０を介したユニット間データ伝送によって供給される。
【００３６】
本実施の形態の特徴として、各表示ユニットグループ３１には、第１データ伝送経路３３（第１系）と、第２データ伝送経路３５（第２系）とが設定されている。第１データ伝送経路３３および第２データ伝送経路３５は、表示ユニットグループ３１を構成する表示ユニット９ａ〜９ｊを順次巡るように設定される。ただし、第１データ伝送経路３３と第２データ伝送経路３５とでは、向きが逆である。具体的には、第１データ伝送経路３３は、表示ユニット９ａ、９ｂ、９ｃ、９ｄ、９ｅ、９ｆ、９ｇ、９ｈ、９ｉ、９ｊの順に設定されている。一方、第２データ伝送経路３５は、表示ユニット９ｊ、９ｉ、９ｈ、９ｇ、９ｆ、９ｅ、９ｄ、９ｃ、９ｂ、９ａの順に設定されている。本実施の形態の大型映像表示装置１は、これら第１データ伝送経路３３および第２データ伝送経路３５を利用して、表示データの２重系伝送を、互いに逆向きに行う。
【００３７】
以下の説明では、第１データ伝送経路３３と第２データ伝送経路３５をまとめて説明するときは、単にデータ伝送経路という。
【００３８】
また、図１は、一つの表示ユニットグループ３１の２重系伝送経路を示しているが、他の表示ユニットグループも同様の構成を有している。
【００３９】
図２は、上記の２重系伝送に適合するように構成された表示ユニット９を示している。表示ユニット９は、表示部４１と、表示部４１に対して着脱可能な伝送部４３で構成されている。
【００４０】
表示部４１は、発光部５１、データ表示制御部５３および表示装置電源５５を備えている。発光部５１は、多数の発光素子が配列されたパネルであり、発光素子はＬＥＤである。データ表示制御部５３は、伝送部４３から受け取った表示データに従って発光部５１を制御する。
【００４１】
伝送部４３は、第１データ伝送経路に沿って送られる表示データを処理する第１伝送部６１ａと、第２データ伝送経路に沿って送られる表示データを処理する第２伝送部６１ｂと、これら構成に電源を供給するためにＬＶＤＳに対応した電圧降下回路６３とを備えている。
【００４２】
第１伝送部６１ａは、第１データ伝送経路３３に沿って上流側の表示ユニット９から表示データとアドレスデータを取得し、これら取得されたデータを処理し、下流側の表示ユニット９へ出力する。第１伝送部６１ａは、第１データ取得部６５ａ、第１波形矯正回路６７ａおよび第１アドレス変換回路６９ａを備えている。
【００４３】
ここで、図４を参照し、本実施の形態における表示データとアドレスデータの詳細を説明する。図４は、表示データおよびアドレスデータと、それらデータに対する表示ユニットでの処理を示している。
【００４４】
図４に示されるように、伝送される表示データは、表示ユニットグループ３１の複数の表示ユニット９でそれぞれ表示されるべき複数の表示データの集まりである。ここでは、表示ユニット別の表示データをユニット表示データという。
【００４５】
アドレスデータは、各表示ユニット９が取得すべきユニット表示データのアドレス（位置）を特定するデータである。アドレスデータも、複数の表示ユニット９にそれぞれ対応する複数のアドレスデータの集まりである。ここでは、各表示ユニットのアドレスデータをユニットアドレスデータという。
【００４６】
表示データおよびアドレスデータは、第１伝送部６１ａにて以下のように処理される。図４の上部に示されるように、第１データ取得部６５ａは、アドレスデータ中で制御フラグがＯＮ状態にあるユニットアドレスデータを取得する。そして、第１データ取得部６５ａは、表示データから、ユニットアドレスデータにより特定されるユニット表示データを取得する。取得されたユニット表示データは、表示部４１のデータ表示制御部５３に供給され、発光部５１にて表示される。
【００４７】
第１波形矯正回路６７ａは、ＬＶＤＳのために設けられており、波形やクロックの乱れを矯正する。
【００４８】
第１アドレス変換回路６９ａは、次の表示ユニット９のためにアドレスデータ変換処理を行う。図４の下部に示されるように、アドレスデータ変換処理では、制御フラグＯＮのユニットアドレスデータの位置が、一つずらされる。この変換後のアドレスデータが次の表示ユニット９に送られる。したがって、次の表示ユニット９は、一つずれたアドレスのユニット表示データを取得して表示することになる。こうして、各表示ユニット９が順次別のユニット表示データを取得できる。
【００４９】
また、表示部４１のデータ表示制御部５３は異常検知処理を行い、検知処理結果の状態データを第１データ取得部６５ａに供給する。状態データは、表示データおよびアドレスデータと逆の経路で伝送される。これにより、グループ内の全部の表示ユニット９の状態データが最終的に信号分配器５に送られることになる。
【００５０】
一方、第２伝送部６１ｂは、第２データ伝送経路３５に沿って上流側の表示ユニット９から表示データとアドレスデータを取得し、これら取得されたデータを処理し、下流側の表示ユニット９へ出力する構成である。第２伝送部６１ｂは、第２データ取得部６５ｂ、第２波形矯正回路６７ｂおよび第２アドレス変換回路６９ｂを備えている。第２データ取得部６５ｂ、第２波形矯正回路６７ｂおよび第２アドレス変換回路６９ｂは、それぞれ、第１データ取得部６５ａ、第１波形矯正回路６７ａおよび第１アドレス変換回路６９ａと対応する。ただし、第１伝送部６１ａと第２伝送部６１ｂでは、データの取得元と出力先が逆である。この点を除き、第１伝送部６１ａと第２伝送部６１ｂの各部構成は同様である。
【００５１】
既に説明したように、隣接する２つの表示ユニット９は、データ伝送用のケーブル１０で接続されている。本実施の形態では、１本のケーブル１０で伝送部４３同士が接続される。この１本のケーブル１０に、上述した第１データ伝送経路３３と第２データ伝送経路３５の伝送路が内蔵される。より詳細には、１本のケーブル１０が、第１データ伝送経路３３の表示データ、アドレスデータおよび状態データと、第２データ伝送経路３５の表示データ、アドレスデータおよび状態データを伝送する。表示データとアドレスデータは同じ伝送路で伝送される。
【００５２】
以上、本実施の形態に係る大型映像表示装置１の構成を説明した。次に、大型映像表示装置１の動作を説明する。
【００５３】
制御装置７は、入力された映像信号を処理し、大型映像表示部３に適合する表示データに変換する。生成された表示データは、信号分配器５を介して大型映像表示部３に供給される。表示データは、各表示ユニットグループ３１の複数の表示ユニット９に供給される。表示データは、互い逆の第１データ伝送経路３３と第２データ伝送経路３５を通って供給される。各表示ユニット９は、２つのデータ伝送経路３３、３５の両方から表示データを取得する。
【００５４】
図１は、通常運用時、すなわち、故障が発生していないときの動作を示している。通常運用時は、各表示ユニット９は、第１データ伝送経路３３と第２データ伝送経路３５のいずれかから得られた表示データを出力するように制御される。ここでは、通常時は第１データ伝送経路３３が使われるものとする。制御装置７は、第１データ伝送経路３３の表示データを出力する旨の指示を表示データに付加する。この指示に従い、各表示ユニット９のデータ表示制御部５３は、第１伝送部６１ａの第１データ取得部６５ａから供給される表示データを発光部５１に表示させる。各発光部５１が表示データを表示することにより、全体としては大型映像が表示される。
【００５５】
次に、図５は、故障発生時の動作を示している。図５では、第１データ伝送経路３３にて、表示ユニット９ｃから表示ユニット９ｄへの伝送が不能になっている。この伝送不能は、表示ユニット９ｄの第１伝送部６１ａの故障によって発生する。また、この伝送不能は、表示ユニット９ｃ、９ｄ間のケーブル１０における第１データ伝送路３３の切断によって発生する。
【００５６】
制御装置７は、信号分配器５を介して、第１データ伝送経路３３および第２データ伝送経路３５から状態データを返信データとして取得している。図５の伝送不能が発生すると、第１データ伝送経路３３から正常な状態データが得られなくなり、第１データ伝送経路３３の異常が検知される。そこで、制御装置７は、切替指示を該当表示ユニットグループ３１に送る。この切替指示は、第２データ伝送経路３５から取得される表示データを出力する旨の指示である。このような指示が表示データに付加されて、送信される。そして、この指示に従い、各表示ユニット９のデータ表示制御部５３は、第２伝送部６１ｂの第２データ取得部６５ｂから供給される表示データを発光部５１に表示させる。
【００５７】
このようにして、制御装置７は、どちらの伝送系で異常が発生したかを判断し、正常な伝送系を使って表示を継続するように表示ユニット９を制御する。各発光部５１が表示データを継続して表示でき、全体としても大型映像が継続して表示できる。
【００５８】
以上、本発明の第１の実施の形態に係る大型映像表示装置１について説明した。本実施の形態によれば、各表示ユニットグループ３１に、互いに逆向きの第１データ伝送経路３３と第２データ伝送経路３５が設定される。各表示ユニット９は、第１データ伝送経路３３に対応する第１伝送部６１ａと、第２データ伝送経路３５に対応する第２伝送部６１ｂとを備える。このような２重化により、表示ユニットやケーブルの故障に対する信頼性を向上することができる。
【００５９】
また、本実施の形態では、上記の２重系の伝送路が、１本のユニット間接続ケーブルに納められる。このようにして、ユニット間を１本のケーブルで接続する構成によって２重系伝送が実現されるので、システムを安価で簡素にすることができる。
【００６０】
また、本実施の形態では、信号分配器５と制御装置７とが分離された構成であったが、制御装置７が信号分配器５を含む構成であってもよく、この場合、制御装置７と分離された信号分配器５は無くてよい。
【００６１】
ここで、第１の実施の形態の変形例を説明する。この例では、故障発生時の制御が変形される。
【００６２】
上述の実施の形態では、制御装置７は、１つの表示ユニットグループ３１の全部の表示ユニット９を、同じ伝送経路の表示データを表示するように制御していた。すなわち、グループ内の全部の表示ユニット９が第１データ伝送経路３３の表示データを表示するか、あるいは、全部の表示ユニット９が第２データ伝送経路３５の表示データを表示していた。しかし、この変形例では、制御装置７は、どちらの伝送経路の表示データを表示するかを表示ユニット９によって異ならせる。この制御は、以下のような場合に有利である。
【００６３】
例えば、一つの表示ユニット９にて、伝送部４３が、第１データ伝送経路３３および第２データ伝送経路３５の両方で表示データを伝送不能になったとする。このような場合に、故障していない表示ユニット９は、制御装置７の制御下で、第１データ伝送経路３３または第２データ伝送経路３５のどちらかから取得した表示データを表示する。すなわち、第１データ伝送経路３３に沿って故障箇所より上流側の表示ユニット９は、第１データ伝送経路３３の表示データを表示する。同様に、第２データ伝送経路３５に沿って故障箇所より上流側の表示ユニット９は、第２データ伝送経路３５の表示データを表示する。
【００６４】
具体例として、図１の表示ユニット９ｄが両データ伝送経路の表示データを伝送できなくなったとする。この場合、表示ユニット９ａ〜９ｃは、第１データ伝送経路３３からの表示データを表示し、表示ユニット９ｅ〜９ｊは、第２データ伝送経路３５からの表示データを表示する。従来の表示部故障の場合と同様に、故障ユニットを除いた全領域の表示が可能である。
【００６５】
こうして、故障箇所に応じて各表示ユニットの出力表示データが適当に制御される。そして、故障箇所を挟んで両側の表示ユニット９が、異なるデータ伝送経路の表示データを使って映像を表示でき、故障の影響を小さく抑えられる。
【００６６】
次に、本発明の第２の実施の形態に係る大型映像表示装置について説明する。以下、第１の実施の形態と共通する事項の説明は省略し、第１の実施の形態との相違点を主として説明する。上述の第１の実施の形態では、第１データ伝送経路と第２データ伝送経路の各々において、状態データが表示データと反対向きに伝送されていた。一方、第２の実施の形態では、状態データが表示データに付加されて、表示データと同じ向きに伝送され、最後の表示ユニットから信号分配器に伝送される。
【００６７】
図６は、本実施の形態の大型映像表示装置に備えられた表示ユニット７１を示している。なお、大型映像表示装置の全体構成としては、第１の実施の形態と同様に、表示ユニットグループの複数の表示ユニット７１がカスケード式にケーブル１０で順次接続されており、両端の表示ユニット７１が信号分配器５の異なるポートに接続されている。
【００６８】
図６において、第１データ取得部７３ａは、データ表示制御部５３から状態データを取得し、その状態データを表示データに付加する。状態データは、表示データおよびアドレスデータと共に、第１データ伝送経路３３に沿って下流側の次の表示ユニット７１へと出力される。
【００６９】
図６は、一つの表示ユニット７１に着目しているので、入力データが表示データとアドレスデータであり、出力データがこれらデータと状態データである。実際には、各表示ユニット７１で状態データが付加され、状態データが増えていく。そして、第１データ伝送経路３３の最後の表示ユニット７１に表示データが到達すると、表示データは、グループ内の全部の表示ユニット１の状態データを付加された状態になり、このようなデータが信号分配器５に戻ることになる。信号分配器５はグループ内の全表示ユニット９の状態データを含んだデータを受信し、これにより、各表示ユニット７１が監視される。
【００７０】
第２データ取得部７３ｂも、第１データ取得部７３ａと同様に、データ表示制御部５３から状態データを取得し、その状態データを表示データに付加する。データ伝送経路の向きが逆な点を除き、第２データ取得部７３ｂと第１データ取得部７３ａは同様である。
【００７１】
図７は、本実施の形態における状態データの付加処理を示している。本実施の形態では、第１データ取得部７３ａおよび第２データ取得部７３ｂの各々において、表示データ中のユニット表示データが状態データと差し替えられ、これにより状態データが表示データに付加される。
【００７２】
より詳細には、図７に示す如く、表示データは、既に説明した通り、複数の表示ユニット７１でそれぞれ表示されるべき複数のユニット表示データで構成されている。各表示ユニット７１は、制御フラグＯＮのアドレスデータによって特定されるユニット表示データを取得する。取得されたユニット表示データは不要になる。そこで、ユニット表示データが状態データに取り替えられる。
【００７３】
表示ユニット７１では、さらに、アドレスデータ変換処理が行われる。アドレスデータ変換処理では、前述したように、制御フラグＯＮの位置がずらされる。これらの処理を経たデータが次の表示ユニット７１へ向けて出力される。
【００７４】
以上、本発明の第２の実施の形態に係る大型映像表示装置について説明した。本実施の形態によれば、各表示ユニットが、データ伝送経路に沿って上流側の表示ユニットから取得した表示データに、表示ユニットの状態データを付加して、下流側の表示ユニットへ送る。上記例では表示ユニットのデータ取得部が状態データ付加手段として機能している。これにより、状態データを返信するための伝送路が、表示データを送るための伝送路と共用され、伝送路を減らすことができる。
【００７５】
また、本実施の形態によれば、各表示ユニットが、表示データ中の該当表示ユニットのユニット表示データを状態データと差し替えることによって表示データに状態データを付加する。これにより、伝送される情報量の増大を招くことなく、表示データと状態データのための伝送路の共用が可能になる。
【００７６】
次に、本発明の第３の実施の形態に係る大型映像表示装置について説明する。以下、第１の実施の形態と共通する事項の説明は省略し、第１の実施の形態との相違点を主として説明する。第３の実施の形態では、各表示ユニットが、２つのデータ伝送経路から取得される複数の表示データの各々における異常の有無をチェックして正常な表示データを選択するデータ選択手段を備えている。
【００７７】
図８は、本実施の形態の大型映像表示装置に備えられた表示ユニット８１を示している。図示のように、本実施の形態では、表示部と伝送部が一体化されており、両者が着脱可能ではない。そして、伝送部用の電圧降下回路は廃止されており、表示ユニット８１の全体が表示装置電源５５から供給される電力で動作する。
【００７８】
図８に示されるように、本実施の形態の表示ユニット８１は、表示データの伝送関連の構成として、第１データ取得部８３ａ、第２データ取得部８３ｂ、波形矯正回路８５、位置情報変換回路８７およびデータ選択処理部８９を備えている。
【００７９】
第１データ取得部８３ａおよび第２データ取得部８３ｂは、第１の実施の形態と同様に、第１データ伝送経路３３および第２データ伝送経路３５の表示データを取得する。波形矯正回路８５は、第１の実施の形態における第１波形矯正回路６７ａと第２波形矯正回路６７ｂを一体化した構成に相当する。アドレス変換回路８７は、第１の実施の形態における第１アドレス変換回路６９ａと第２アドレス変換回路６９ｂを一体化した構成に相当する。そして、第１データ取得部８３ａ、波形矯正回路８５、位置情報変換回路８７およびデータ選択処理部８９が、第１データ伝送経路３３の表示データを処理する第１伝送部に相当し、第２データ取得部８３ｂ、波形矯正回路８５、位置情報変換回路８７およびデータ選択処理部８９が、第２データ伝送経路３５の表示データを処理する第２伝送部に相当する。
【００８０】
データ選択処理部８９は、第１データ取得部８３ａおよび第２データ取得部８３ｂの後段に位置している。データ選択処理部８９は、本発明のデータ選択手段に相当し、第１データ取得部８３ａおよび第２データ取得部８３ｂにより取得された２つ表示データの各々における異常の有無をチェックして正常な表示データを選択する。選択された正常な表示データがデータ表示制御部５３に供給されて、発光部５１に表示される。
【００８１】
表示データのチェック処理としては、例えば、同期信号の有無が判断される。また、信号のチェックサムが確認されてよい。また、２つのデータ伝送経路の表示データが比較されてよい。これらの処理が適当に組み合わされてもよい。
【００８２】
データ選択処理部８９の具体的動作は例えば以下の通りである。データ選択処理部８９は、通常時は、第１データ伝送経路３３と第２データ伝送経路３５の一方の表示データを選択するように構成されている。ここでは、第１データ伝送経路３３の表示データが優先的に選択されるものとする。そして、第１データ伝送経路３３の表示データの異常が確認されると、データ選択処理部８９は、第２データ伝送経路３５の表示データの異常の有無を確認し、第２データ伝送経路３５の表示データを選択する。
【００８３】
また、データ表示制御部５３からの状態データは、本実施の形態ではデータ選択処理部８９に取得されて、第１データ伝送経路３３と第２データ伝送経路３５の両方の表示データに付加される。
【００８４】
次に、本実施の形態に係る大型映像表示装置の動作を、図９を参照して説明する。図９は、大型映像表示部３中の２つの表示ユニットグループ３１ａ、３１ｂを示している。表示ユニットグループ３１ａでは、表示ユニット８１の故障が発生していない。この場合、各表示ユニット８１は、第１データ伝送経路３３と第２データ伝送経路３５の両方から正常な表示データを取得し、一方の表示データを選択して出力している。そして、全部の表示ユニット８１が正常に映像を表示している。
【００８５】
一方、表示ユニットグループ３１ｂでは、一つの表示ユニット８１ｄの伝送部４３が故障しており、表示ユニット８１では第１データ伝送経路３３と第２データ伝送経路３５の両方において伝送が不能になっている。このとき、故障箇所よりも第１データ伝送経路３３の上流側の表示ユニット８１ａ〜８１ｃは、第１データ伝送経路３３から正常な表示データを受け取るが、第２データ伝送経路３５からは正常な表示データを取得できない。この場合、第１データ伝送経路３３の表示データが選択され、表示される。また、第２データ伝送経路３５の上流側の表示ユニット８１ｅ〜８１ｊは、第２データ伝送経路３５から正常な表示データを受け取るが、第１データ伝送経路３３からは正常な表示データを取得できない。そこで、第２データ伝送経路３５の表示データが選択され、表示される。
【００８６】
こうして、本実施の形態では、一つの表示ユニットが故障しても、故障していない全部の表示ユニットが表示を継続できる。制御装置７による異常発生の判断および表示ユニット別の表示制御が不要であり、このような制御装置７からの制御を受けることなく各表示ユニットが判断と切替を行える。したがって、故障していない表示ユニットの映像が全く乱れることなく、大型映像表示部が表示を継続することができる。また、故障した表示ユニット８１ｄを交換するときも、画面全体の電源をＯＦＦにする必要がなく、活性交換が可能である。したがって、故障の影響を最小限に抑えることができる。
【００８７】
上記例では、表示ユニット８１の故障が説明された。別の例として、ケーブル１０に切断等の故障が発生し、両伝送経路の伝送が不能になったとする。この場合の動作もユニット故障の場合と同様である。すなわち、第１データ伝送経路３３に沿って切断箇所より上流側の表示ユニット８１は、第１データ伝送経路３３の表示データを使って表示を継続する。同様に、第２データ伝送経路３５に沿って切断箇所より上流側の表示ユニット８１は、第２データ伝送経路３５の表示データを使って表示を継続する。したがって、ケーブル故障の場合は、全表示ユニット８１が表示を継続できる。ここでも、各表示ユニットが判断処理を行うので、映像の乱れを伴わずに表示を継続できる。
【００８８】
以上、本発明の第３の実施の形態に係る大型映像表示装置について説明した。本実施の形態によれば、各表示ユニット８１が、第１データ伝送経路および第２データ伝送経路より取得される複数の表示データの各々における異常の有無をチェックして正常な表示データを選択する。各表示ユニットは、第１データ伝送経路または第２データ伝送経路から取得される正常な表示データに従って表示を行う。故障が発生すると、第１データ伝送経路３３に沿って故障箇所より上流側の表示ユニット８１は、第１データ伝送経路３３の表示データを使って表示を継続する。同様に、第２データ伝送経路３５に沿って故障箇所より上流側の表示ユニット８１は、第２データ伝送経路３５の表示データを使って表示を継続する。故障箇所に応じて表示ユニットの出力表示データが適切に切り替わり、故障箇所を挟んで両側の表示ユニット８１が、異なるデータ伝送経路の表示データを使って表示を継続することができる。
【００８９】
したがって、一の表示ユニット８１にて両系統（第１データ伝送経路３３および第２データ伝送経路３５）の伝送が不能になっても、グループ内の残りの全部の表示ユニット８１は、映像の乱れを伴うことなく好適に表示を継続できる。また、一のケーブル１０にて両系統の伝送が不能になっても、全部の表示ユニット８１が映像の乱れを伴うことなく好適に表示を継続できる。また、故障部位の活性交換も可能である。こうして、伝送部やケーブルの故障の影響を小さく抑えることができる。
【００９０】
この点に関し、第１の実施の形態の大型映像表示装置においても、既に説明したように、制御装置７が各表示ユニットを個別に制御すれば、故障していない全表示ユニットが正常な表示データを第１データ伝送経路３３または第２データ伝送経路３５から取得できる。しかし、このような構成と比べても、第３の実施の形態は有利である。その理由として、第３の実施の形態では、データ選択手段が各表示ユニット８１に設けられており、各表示ユニット８１がデータ異常有無の判定と出力データの選択を行うので、故障発生時に経路を迅速かつ自動的に切り替えることができ、映像の乱れを回避できる。
【００９１】
また、本実施の形態では、故障した表示ユニット８１とその前後に接続された表示ユニット８１のケーブル１０が取り外されても、前後の表示ユニット８１の表示は継続される。したがって、活性交換の際に従来のような表示部と伝送部の分離が不要であり、そこで表示部と伝送部が一体化されている。さらに、表示部と伝送部が独立して動作する必要がないので、信号分配器５から接続ケーブルを介して供給されていた電源が不要になり、電圧降下回路も削除されている。こうして、システムを簡素化することができている。
【００９２】
次に、図１０を参照し、本発明の第４の実施の形態に係る大型映像表示装置について説明する。以下、上述した実施の形態と共通する事項の説明は省略し、上述した実施の形態との相違点を主として説明する。
【００９３】
上述の実施の形態では、第１データ伝送経路３３の信号送信ポート（第２データ伝送経路３５の信号受信ポート）と、第２データ伝送経路３５の信号送信ポート（第１データ伝送経路３３の信号受信ポート）とが、一つの信号分配器５に接続されている。
【００９４】
これに対して、第４の実施の形態では、図１０に示されるように、第１データ伝送経路３３の信号送信ポート（第２データ伝送経路３５の信号受信ポート）と、第２データ伝送経路３５の信号送信ポート（第１データ伝送経路３３の信号受信ポート）とが、別々の信号分配器、すなわち第１信号分配器５ａと第２信号分配器５ｂに接続されている。こうして、第４の実施の形態では、信号分配器も２重化されている。２つの信号分配器は全く同じ表示データを送信する。
【００９５】
図１０は、正常時の大型映像表示装置を示している。正常時は、第１信号分配器５ａから第１データ伝送経路３３を介して各表示ユニット９に表示データが供給され、同時に、同じ表示データが第２信号分配器５ｂから第２データ伝送経路３５を介して各表示ユニット９に供給されている。各表示ユニット９は、第１信号分配器５ａ、第２信号分配器５ｂの一方から供給された表示データを出力する。ここでは、第１信号分配器５ａからの表示データが出力されているものとする。
【００９６】
図１１は、第１信号分配器５ａが故障したときの動作を示している。第１信号分配器５ａが故障すると、第１データ伝送経路３３は表示データを伝送しなくなる。しかし、第２信号分配器５ｂからの表示データは、第２データ伝送経路３５を介して各表示ユニット９に供給される。そこで、各表示ユニット９は、第２信号分配器５ｂからの表示データを出力するように切替を行う。これにより、第１信号分配器５ａの故障が生じても、通常の表示を継続できる。
【００９７】
以上、本発明の第４の実施の形態に係る大型映像表示装置について説明した。本実施の形態によれば、第１データ伝送経路３３の最上流側に位置する表示ユニット９に第１信号分配器５ａが接続され、第１信号分配器５ａと別個に設けられた第２信号分配器５ｂに第２データ伝送経路３５の最上流側に位置する表示ユニット９が接続されている。これにより、信号分配器も２重化されて、信頼性をさらに向上できる。従来は、信号分配器が２重化されるときは、２つの信号分配器を切り替える切替装置がさらに必要であった。本発明では２つの信号分配器から２つの系統にそれぞれデータが伝送されるので、従来のような切替装置が不要になる。こうして、簡素な構成で、信号分配器も含めた２重系システムを提供でき、信頼性を向上できる。
【００９８】
次に、図１２を参照し、本発明の第５の実施の形態に係る大型映像表示装置について説明する。以下、上述した実施の形態と共通する事項の説明は省略し、上述した実施の形態との相違点を主として説明する。
【００９９】
上述の第４の実施の形態では、信号分配器が２重化されていた。これに対し、第５の実施の形態では、さらに、制御装置も２重化される。すなわち、第５の実施の形態では、図１２に示されるように、第１信号分配器５ａに第１制御装置７ａが接続され、第１制御装置７ａから第１信号分配器５ａに表示データが供給される。また、第１制御装置７ａと別個に設けられた第２制御装置７ｂが第２信号分配器５ｂに接続され、第２制御装置７ｂから第２信号分配器５ｂに表示データが供給される。
【０１００】
また、本実施の形態では、第１信号分配器５ａと第２信号分配器５ｂは表示データを送受信可能に構成されている。そして、故障発生時、第１信号分配器５ａと第２信号分配器５ｂは、同一の制御装置（第１制御装置７ａまたは第２制御装置７ｂ）からの表示データを表示ユニットグループ３１に提供するように、表示データを送受信する。
【０１０１】
図１２は、正常時の大型映像表示装置を示している。正常時は、第１制御装置７ａから第１信号分配器５ａ、第１データ伝送経路３３を介して各表示ユニット９に表示データが供給され、同時に、表示データが第２制御装置７ｂから第２信号分配器５ｂ、第２データ伝送経路３５を介して各表示ユニット９に供給されている。各表示ユニット９は、第１制御装置７ａ、第２制御装置７ｂの一方から供給された表示データを出力する。ここでは、第１制御装置７ａからの表示データが出力されているものとする。
【０１０２】
図１３は、第１制御装置７ａが故障したときの動作を示している。第１制御装置７ａが故障すると、第１信号分配器５ａは、第１制御装置７ａからのデータより異常を判断し、この場合、第１信号分配器５ａは第２信号分配器５ｂから表示データを受信し、引き続き、第１データ伝送経路３３にて表示データを送信する。これにより、第１制御装置７ａの故障が生じても、通常の表示を継続できる。
【０１０３】
図１４は、表示ユニット９ｄの伝送部が故障し、表示ユニット９ｄにて両伝送経路の伝送が不能になっている。この場合、第１信号分配器５ａから第２信号分配器５ｂに表示データが供給され、第２信号分配器５ｂから第２データ伝送経路３５に表示データが供給される。これにより表示ユニット９ｅ〜９ｊが、第２データ伝送経路３５を介して、第１制御装置７ａの表示データを取得する。また、表示ユニット９ａ、９ｂ、９ｃは、故障前と同様に、第１制御装置７ａから第１信号分配器５ａを介して第１データ伝送経路３３へ送信された表示データを取得する。こうして、故障ユニット９ｄを除く全表示ユニットが同じ制御装置（第１制御装置７ａ）の表示データを受け取るように、第１信号分配器５ａと第２信号分配器５ｂの間で表示データが送受信される。
【０１０４】
ここでは、ユニット故障の例について説明したが、ケーブル故障の場合も同様に、同じ制御装置の表示データを供給するように、信号分配器間で表示データが送受信される。
【０１０５】
以上に本発明の第５の実施の形態に係る大型映像表示装置について説明した。本実施の形態によれば、大型映像表示装置が、第１信号分配器５ａに表示データを供給する第１制御装置７ａと、第１制御装置７ａと別個に設けられ第２信号分配器５ｂに表示データを供給する第２制御装置７ｂとを備えている。これにより、制御装置も２重化されて、信頼性をさらに向上できる。
【０１０６】
また、本実施の形態では、第１信号分配器５ａと第２信号分配器５ｂが表示データを送受信可能であり、第１信号分配器５ａと第２信号分配器５ｂは同一の制御装置からの表示データを表示ユニットグループに提供するように表示データを送受信する。これにより、表示ユニットによって異なる制御装置からの表示データを表示することによる画質の低下を防ぐことができる。
【０１０７】
より詳細に説明すると、制御装置が２重化された場合、２つの制御装置に異なる映像が入力されたり、２つの制御装置で処理内容が異なることがある。その場合、表示ユニットによって異なる制御装置の表示データが出力されると、同期や色合いの相違に起因して画質が低下する可能性がある。しかし、本実施の形態では、２つの信号分配器が連動することにより、このような画質低下を防止できる。
【０１０８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１０９】
以上のように、本発明にかかる大型映像表示装置は、互いに逆方向の第１データ伝送経路と第２データ伝送経路に沿って表示データを伝送する２重化構成を設けたことにより、表示ユニットやケーブルの故障に対する信頼性を向上できるという効果を有し、競技場、イベント会場等の各種施設用の大型映像表示装置等として有用である。
【図面の簡単な説明】
【０１１０】
【図１】本発明の第１の実施の形態における大型映像表示装置を示す図
【図２】大型映像表示装置を構成する１つの表示ユニットを示す図
【図３】大型映像表示装置の全体構成を示す図
【図４】表示データとアドレスデータを示す図
【図５】故障発生時の大型映像表示装置の動作を示す図
【図６】第２の実施の形態に係る大型映像表示装置を構成する表示ユニットを示す図
【図７】表示データに状態データを付加する処理を示す図
【図８】第３の実施の形態に係る大型映像表示装置を構成する表示ユニットを示す図
【図９】第３の実施の形態に係る大型映像表示装置の動作を示す図
【図１０】第４の実施の形態に係る大型映像表示装置を示す図
【図１１】第４の実施の形態に係る大型映像表示装置の故障発生状態を示す図
【図１２】第５の実施の形態に係る大型映像表示装置を示す図
【図１３】第５の実施の形態に係る大型映像表示装置の故障発生状態を示す図
【図１４】第５の実施の形態に係る大型映像表示装置の故障発生状態を示す図
【図１５】従来の大型映像表示装置を示す図
【図１６】従来の大型映像表示装置を構成する表示ユニットを示す図
【符号の説明】
【０１１１】
１  大型映像表示
３  大型映像表示部
５  信号分配器
７  制御装置
９  表示ユニット
３１  表示ユニットグループ
３３  第１データ伝送経路
３５  第２データ伝送経路
４１  表示部
４３  伝送部
５１  発光部
５３  データ表示制御部
５５  表示装置電源
６１ａ  第１伝送部
６１ｂ  第２伝送部
６３  電圧降下回路
６５ａ  第１データ取得部
６５ｂ  第２データ取得部
６７ａ  第１波形矯正回路
６７ｂ  第２波形矯正回路
６９ａ  第１アドレス変換回路
６９ｂ  第２アドレス変換回路
【図１】
2007298754.tif 000003
【図２】
2007298754.tif 000004
【図３】
2007298754.tif 000005
【図４】
2007298754.tif 000006
【図５】
2007298754.tif 000007
【図６】
2007298754.tif 000008
【図７】
2007298754.tif 000009
【図８】
2007298754.tif 000010
【図９】
2007298754.tif 000011
【図１０】
2007298754.tif 000012
【図１１】
2007298754.tif 000013
【図１２】
2007298754.tif 000014
【図１３】
2007298754.tif 000015
【図１４】
2007298754.tif 000016
【図１５】
2007298754.tif 000017
【図１６】
2007298754.tif 000018